(57)【要約】  記録層を表裏両面に設けて光ディスクの記録容量増大を行う場合、カートリッジから取り出された光ディスクの再生面が表面か裏面かの判別が不可能であった。  ＢＣＡにディスク識別情報の他に、記録面が片面か両面かといったタイプ情報、Ａ面かＢ面かといった面情報、単層か２層かといった記録層数の情報、ＢＣＡを除くエリア、リードインやデータゾーンやリードアウトのデータの記録再生方向の情報、及びディスクカートリッジの有無を示す情報を付加することによって上記課題は解決される。
2012168979.tif 000002
【特許請求の範囲】
【請求項１】
両面に記録面を持つ光ディスクであって、
光ディスクに関する情報が記録されているＢＣＡと、  前記ＢＣＡの外周側に位置し、光ディスクに関する情報が記録されているリードインエリアと、
を具備しており、
前記ＢＣＡは、複数のブロックに分割されており、
前記複数のブロックのうち、第１のブロックには少なくともディスク種類、記録特性、準拠する規格のバージョン番号および両面ディスクか否かを示す情報が記録されており、
前記複数のブロックのうち、第２のブロックには少なくともコピー管理に用いられる光ディスク固有情報および製造者識別コードが記録されており、
前記リードインエリアには、ディスク種類、記録特性および準拠する規格のバージョン番号が記録されている、
光ディスク。
【請求項２】
請求項１に記載の光ディスクであって、
前記第１のブロックには、記録面を特定する情報が含まれている、
光ディスク。
【請求項３】
請求項１に記載の光ディスクであって、
前記第１のブロックには、ディスクカートリッジの有無を示す情報が含まれている、
光ディスク。
【請求項４】
請求項２に記載の光ディスクであって、
前記第１のブロックには、記録面のデータゾーン再生のためのディスク回転方向を特定する情報が含まれている、
光ディスク。
【請求項５】
請求項１に記載の光ディスクであって、
前記ＢＣＡは、両面に記録されている、
光ディスク。
【請求項６】
請求項１記載の光ディスクであって、
前記リードインエリアには、更に両面ディスクか否かを示す情報が記録されている、
光ディスク。
【請求項７】
光ディスク記録再生装置であって、
表裏両面の光ディスクのＢＣＡコードにディスク識別情報と両面ディスクであることを示す情報と面方向を特定する情報が含まれる場合、
両面のデータエリアを１つの論理ヴォリュームとして使用することを特徴とする記録再生装置。
【請求項８】
光ディスク記録再生装置であって、
片面又は表裏両面の光ディスクのＢＣＡコードにディスクカートリッジの有無を示す情報が含まれている場合、ディスクカートリッジの有無を示す情報はディスクカートリッジが有ることが示しており、装着された光ディスクがディスクカートリッジで保護されていない時、
光ディスクへのデータ記録を行わないことを特徴とする記録再生装置。
【請求項９】
光ディスク記録再生装置であって、
表裏両面の光ディスクのＢＣＡコードに面方向を特定する情報が含まれている場合、該面方向の情報に基づいてディスク回転方向を決定することを特徴とする記録再生装置。
【請求項１０】
光ディスク記録再生装置であって、
表裏両面の光ディスクのＢＣＡコードにデータゾーン再生のためのディスク回転方向を特定する情報が含まれている場合、該ディスク回転方向の情報に基づいてディスク回転方向を決定することを特徴とする記録再生装置。
【請求項１１】
光ディスクに情報を記録する記録方法であって、
前記光ディスクは両面に記録面を持っており、
前記光ディスクは、該光ディスクに関する情報が記録されているＢＣＡと、  前記ＢＣＡの外周側に位置し、光ディスクに関する情報が記録されているリードインエリアと、
を具備しており、
前記ＢＣＡは、複数のブロックに分割されており、
前記複数のブロックのうち、第１のブロックには少なくともディスク種類、記録特性、準拠する規格のバージョン番号および両面ディスクか否かを示す情報が記録し、
前記複数のブロックのうち、第２のブロックには少なくともコピー管理に用いられる光ディスク固有情報および製造者識別コードが記録し、
前記リードインエリアには、ディスク種類、記録特性および準拠する規格のバージョン番号が記録する、
記録方法。
【請求項１２】
光ディスクから情報を再生する再生方法であって、
前記光ディスクは両面に記録面を持っており、
前記光ディスクは、該光ディスクに関する情報が記録されているＢＣＡと、  前記ＢＣＡの外周側に位置し、光ディスクに関する情報が記録されているリードインエリアと、
を具備しており、
前記ＢＣＡは、複数のブロックに分割されており、
前記複数のブロックのうち、第１のブロックには少なくともディスク種類、記録特性、準拠する規格のバージョン番号および両面ディスクか否かを示す情報が記録されており、
前記複数のブロックのうち、第２のブロックには少なくともコピー管理に用いられる光ディスク固有情報および製造者識別コードが記録されており、
前記リードインエリアには、ディスク種類、記録特性および準拠する規格のバージョン番号が記録されており、
前記光ディスクのＢＣＡおよびリードインエリアから情報を再生する、
再生方法。
【発明の詳細な説明】
【技術分野】
【０００１】
本発明は、光情報記録媒体および記録再生装置に関する。
【背景技術】
【０００２】
従来、半導体レーザの短波長化と対物レンズの高NA（Numerical Aperture）化を用いた高密度化により、ＣＤからＤＶＤ、Ｂｌｕ−ｒａｙ  Ｄｉｓｃ（商標）へと大容量化が実現された。しかし近年では、高密度化ではなく多層化による大容量化へとトレンドがシフトしてきており、ＢＤを多層化し1層あたり３３ＧＢで３層１００ＧＢ、および１層あたり３２ＧＢで４層１２８ＧＢとするＢＤＸＬ（商標）が規格化された。放送メディアの発展や動画コンテンツの増大などによって、個人および企業で扱うデータ量は増加し続けており、今後更に大容量なストレージメディアが求められると予想できる。本大容量化の１つの方法として、レーザを光ディスクの両面から入光させ、記録層を光ディスクの表裏両面に設ける方法がある。また光ディスクでは記録面の指紋や埃が記録再生での信号品質に影響する場合があり、記録面に指紋や埃が付着することを防ぐためにカートリッジを使用する場合もある。【０００３】
また特許文献１に記載のとおり、ＣＤ、ＤＶＤやＢｌｕ−ｒａｙ  Ｄｉｓｃ（商標）といった光ディスクには内周側にバーストカッティングエリア（以下ＢＣＡ）と呼ばれる領域が設けられる。光ディスクドライブ、プレーヤ、レコーダは各種ディスクの再生互換が求められ、ディスク判別が益々難しくなっている。ディスク判別を行うための１手段として、ディスク固有の情報を各ディスクのＢＣＡに含める方法がある。ＢＣＡは、波長６５０ｎｍのレーザを用いた現行ＤＶＤディスクでは必須ではなかったが、波長が４０５ｎｍのレーザを用いるＢｌｕ−ｒａｙ  Ｄｉｓｃ（商標）では、個別の識別コードやディスクコピープロテクションに関する情報などを含めることになり、より重要でディスクに必須の項目になっている。一方、特許文献２には記録型Ｂｌｕ−ｒａｙ  Ｄｉｓｃ（商標）であるＢＤ−ＲＥのディスク内周面のリードイン領域は、第１ガード（Ｇｕａｒｄ １）領域とＰＩＣ（Ｐｅｒｍａｎｅｎｔ Ｉｎｆｏｒｍａｔｉｏｎ ＆ Ｃｏｎｔｒｏｌ ｄａｔａ）領域、第２ガード（Ｇｕａｒｄ２）領域、情報２（Ｉｎｆｏ ２）領域、ＯＰＣ（Ｏｐｔｉｍｕｍ Ｐｏｗｅｒ Ｃｏｎｔｒｏｌ）領域などに区分されており、ＰＩＣ領域は事前にデータがあらかじめ記録されている領域として使用されることが記載されている。
【先行技術文献】
【特許文献】
【０００４】
【特許文献１】特開２０１１−１８４４２号公報
【特許文献２】特願２００４−５０２２９１号公報
【発明の概要】
【発明が解決しようとする課題】
【０００５】
記録層を表裏両面に設けて光ディスクの記録容量増大を行う場合、カートリッジから取り出された光ディスクの再生面が表面か裏面かの判別が不可能であった。【０００６】
そこで本発明は、記録層を両面に有する光ディスクのセットアップ時間を短縮することを目的とする。
【課題を解決するための手段】
【０００７】
上記目的は、その一例としてＢＣＡの各ブロックに記録される情報を工夫することで解決される。
【発明の効果】
【０００８】
本発明によれば、記録層を両面に有する光ディスクのセットアップ時間を短縮することが可能となる。
【図面の簡単な説明】
【０００９】
【図１】識別子１１１１１１のＢＣＡデータを示す図
【図２】両面単層ディスクの構造図
【図３】両面２層ディスクの構造図
【図４】ＢＣＡデータの基本ディスク情報データを示す図
【図５】ＢＣＡデータの他面基本ディスク情報データを示す図
【図６】ディスクの反時計周りのスパイラル方向を示す構造図
【図７】ディスクの時計周りのスパイラル方向を示す構造図
【図８】単層ディスクの構造図
【図９】２層ディスクの構造図
【図１０】ディスクの記録層の構造図
【図１１】ディスクのデータフレーム構造図
【図１２】ディスクのスクランブルドデータフレーム構造図
【図１３】ディスクの２１６行３０４列のデータブロック構成図
【図１４】ディスクのＬＤＣブロック構造図
【図１５ａ】ＬＤＣブロックに対する第１のインターリーブを示す構成図
【図１５ｂ】ＬＤＣブロックに対する第２のインターリーブを示す構成図
【図１６】ディスクのアドレス情報の構造図
【図１７】ディスクのアクセスブロックの構造図
【図１８】ディスクのＢＩＳブロックの構造図
【図１９】ディスクのＢＩＳクラスタの構造図
【図２０】ディスクのＥＣＣクラスタの構造図
【図２１】ディスクの記録フレームの構造図
【図２２】ディスクで用いられる１−７変調の変換図
【図２３】同期フレームの同期信号パターン表
【図２４】本発明に用いるディスクのＢＣＡの位置を示す構造図
【図２５】本発明に用いるディスクのＢＣＡの変調則を示す変換表
【図２６】本発明に用いるディスクのＢＣＡの記録形状を示す図
【図２７】本発明に用いるディスクのＢＣＡのデータ構造図
【図２８】ＢＣＡの同期信号のパターン表
【図２９】ＢＣＡコードのＥＣＣブロックの構成図
【図３０】ＢＣＡのデータブロックの構成図
【図３１】光ディスク記録再生装置のブロック図
【図３２】両面アクセス対応光ディスク記録再生装置のブロック図
【図３３】両面同時アクセス対応光ディスク記録再生装置のブロック図
【図３４】ディスクカートリッジ構成図（表面）
【図３５】ディスクカートリッジ構成図（裏面）
【図３６】ディスク挿入時におけるセットアップ処理のフロチャート
【図３７】データスパイラル方向、基本ディスク情報と実施例の関係を示す表
【図３８】識別子000001のＢＣＡデータを示す図
【発明を実施するための形態】
【００１０】
図３７に本願の各実施例におけるＢＣＡ再生方向、ＢＣＡ再生方向の識別方法、ＢＣＡに含まれる表面、裏面、又はＡ面、Ｂ面の面識別等のための情報、またＢＣＡを除くエリア、リードインやデータゾーンやリードアウトのデータの記録再生方向を示す。本実施例において、ＢＣＡ再生方向やリードインやデータゾーンやリードアウトのデータの記録再生方向での方向は記録再生の対象となる記録面側からディスクを見たときの回転方向を示し、反時計周り、時計回りで方向を示す。本表現において、記録面を片面に持つ、単層の図８や２層の図９のディスク構造のＢｌｕ−ｒａｙ  Ｄｉｓｃ（商標）は、ＢＣＡ再生方向とリードインやデータゾーンやリードアウトのデータの記録再生方向は共に反時計回りとなる。
【００１１】
実施例１は、Ａ面、Ｂ面共にＢｌｕ−ｒａｙ  Ｄｉｓｃ（商標）と同じ記録層の構造を持つ場合実施例である。実施例２、実施例３と実施例４は、Ａ面はＢｌｕ−ｒａｙ  Ｄｉｓｃ（商標）と同じ記録層の構造を持つが、Ｂ面はリードイン、データゾーン、リードアウトのデータの記録再生方向がＡ面とは逆の時計周りである場合の実施例である。実施例２のＢ面のＢＣＡ再生方向はＡ面と同じ反時計回りであり、実施例３と実施例４のＢ面のＢＣＡ再生方向はＡ面とは逆の時計周りである場合の実施例である。
【００１２】
[光ディスク、及び光ディスク記録再生装置]
本願の第１の実施例である光ディスクとその記録再生装置について、図１から図５、図１０から図３１、図３４から図３６、図３８の図を用いて説明する。
【００１３】
[ディスク(ＢＣＡフォーマット)]
本発明の両面光ディスクのＢＣＡのデータフォーマットについて説明する。
【００１４】
図３８は固体識別を可能とするデータブロックのＢＣＡのデータフォーマットを示したものである。図３８において縦方向のＢｙｔｅは何Ｂｙｔｅ目のデータであるかを示し、横方向のＢｉｔは何Ｂｉｔ目のデータであるかを示す。ＢＣＡのＢｙｔｅ０は、コンテンツコードでありそのうちのＢｉｔ７からＢｉｔ２は識別子であり、この場合は０００００１がセットされるとする。Ｂｙｔｅ０のＢｉｔ１、０はシーケンス番号であり、ＢＣＡが複数のデータブロックからなる場合は何個目のシーケンスであるかを示す。シーケンス番号については後述するＢＣＡの説明においても示す。Ｂｙｔｅ１、Ｂｙｔｅ２は、製造者の識別コードである。Ｂｙｔｅ３からＢｙｔｅ１５はディスク１枚ごとに付加されるユニークな番号である。つまり固体識別が可能な番号である。そのため記録再生装置は本情報を用いてきめ細かくコピー管理やディスク管理を行うのに十分な固体情報を得ることができる。１枚ごとに異なる固体識別番号を割り当てて記録が行われるが、両面ディスクにおいてはＡ面、Ｂ面のＢＣＡに同一のＩＤ（製造者識別コード）、識別番号（固体識別番号）が割り振られる。
【００１５】
図１は光ディスクの種類判別を可能とするＢＣＡに用いられるデータブロックのフォーマットを示したものである。図１において縦方向のＢｙｔｅは何Ｂｙｔｅ目のデータであるかを示し、横方向のＢｉｔは何Ｂｉｔ目のデータであるかを示すＢＣＡのＢｙｔｅ１は、コンテンツコードでありそのうちのＢｉｔ７からＢｉｔ２は識別子であり、この場合は１１１１１１がセットされるとする。Ｂｙｔｅ０のＢｉｔ１、０はシーケンス番号であり、ＢＣＡが複数のデータブロックからなる場合は何個目のシーケンスであるかを示す。Ｂｙｔｅ１は光ディスクが準拠する規格の種類を示すもので、ＤＶＤ、ＨＤ−ＤＶＤやＢｌｕ−ｒａｙ  Ｄｉｓｃ（商標）といったディスク種類の以外にも、ＲＯＭ，Ｒｅｃｏｒｄａｂｌｅ，Ｒｅｗｒｉｔａｂｌｅといった記録特性が示される。Ｂｙｔｅ２は、準拠する規格のバージョン番号であり、記録再生装置は本情報から本光ディスクとの記録再生又は再生互換の有無を判断することができる。Ｂｙｔｅ３は再生している記録面に関する基本物理特性情報を示し、Ｂｙｔｅ４は再生面の裏の記録面に関する基本物理特性情報を示す。図４及び図５はＢｙｔｅ３とＢｙｔｅ４の基本物理特性を示す。基本物理特性には、ディスクカートリッジの有無の他に、記録面が片面か両面かといったタイプ情報、Ａ面かＢ面かといった面情報、単層か２層かといった記録層数の情報、（実施例１では不要な情報）ＢＣＡを除くエリア、リードインやデータゾーンやリードアウトのデータの記録再生方向の情報が含まれる。ディスクカートリッジに入れられた片面単層、片面２層の表裏両面光ディスクのＡ面のＢＣＡのＢｙｔｅ３には再生側の面の基本物理特性情報として、両面、Ａ面、単層、反時計回り、ディスクカートリッジ有りが記録され、Ｂｙｔｅ４には反対側の面の基本物理特性情報として、両面、Ｂ面、２層、反時計回り、ディスクカートリッジ有りが記録される。一方、Ｂ面のＢＣＡのＢｙｔｅ３には再生側の面の基本物理特性情報として、両面、Ｂ面、２層、反時計回り、ディスクカートリッジ有りが記録され、Ｂｙｔｅ４には反対側の面の基本物理特性情報として、両面、Ａ面、単層、反時計回り、ディスクカートリッジ有りが記録される。また片面のみ記録面を持つディスクカートリッジを用いないベアの２層光ディスクのＢＣＡのＢｙｔｅ３には基本物理特性情報として、片面、Ａ面、２層、反時計回り、ディスクカートリッジ無しが記録される。
【００１６】
このように光ディスクの種類判別を可能とする、ディスク種類、記録特性、準拠する規格のバージョン番号、タイプ情報、面情報、記録層数の情報等をＢＣＡに記録することで、記録再生装置におけるディスク挿入時や電源投入時に必要なディスク判別が容易となり、各種パラメータのセットアップを確実、高速且つ容易にし、またホストへのディスク種別や状態に関する情報の提供が迅速に行えるようにする。
【００１７】
[ディスクの形状]
本発明に用いる光ディスクの形状について説明する。図２に単層両面の記録型光ディスクを示す。また、図３は２層両面の光ディスクを示す。図２に示される単層両面光ディスクでは、記録面がＡ面、Ｂ面の両面に存在する。記録面Ａや記録面Ｂからそれぞれディスク中央に向かって記録面を保護するカバー層、信号が記録される記録膜や反射膜からなる記録層、そしてその下の基盤層からなる。図３に示される２層両面光ディスクにも、記録面がＡ面、Ｂ面の両面に存在する。記録面Ａや記録面Ｂからそれぞれディスク中央に向かって記録面を保護するカバー層、信号が記録される記録層（Ｌ１）、もう一つの記録層との間を隔てるスペース層、もう一つの信号が記録される記録層（Ｌ０）そしてその奥の基盤層からなる。また図８、図９には片面の記録型光ディスクを示される。記録面の構造は図２、図３同様である。
【００１８】
次に単層両面光ディスク及び２層両面光ディスクの記録層の構造を図１０に示す。図１０はディスク断面であり、左側を内周、右側を外周とし模式的にあらわしたものである。図１０（ａ）Ｌ０ディスク構造は、単層両面光ディスク及び２層両面光ディスクの記録層Ｌ０のディスク構造を示す。図１０（ｂ）Ｌ１ディスク構造は、２層両面光ディスクの記録層Ｌ１のディスク構造を示す。
【００１９】
図１０（ａ）Ｌ０ディスク構造において、１００１はＢＣＡ（Ｂｕｒｓｔ  Ｃｕｔｔｉｎｇ  Ａｒｅａ）であり、ディスク固有の情報等が記録されている。１００２はＩｎｎｅｒ  Ｚｏｎｅ０であり、ディスクに関する属性の情報や制御情報等が記録される。また本Ｉｎｎｅｒ  Ｚｏｎｅ０（１００２）はＬｅａｄ-ｉｎとも称する。１００３はＤａｔａ  Ｚｏｎｅ０であり、ＡＶデータなどのユーザデータが記録される。１００４はＯｕｔｅｒ  Ｚｏｎｅ０であり制御情報などが記録される。Ｉｎｎｅｒ  Ｚｏｎｅ０（１００２）は、Ｐｒｏｔｅｃｔｉｏｎ  Ｚｏｎｅ１（１００５）、ＰＩＣ（１００６）、Ｐｒｏｔｅｃｔｉｏｎ  Ｚｏｎｅ２（１００７）、ＩＮＦＯ０２（１００８）、ｒｅｓｅｖｅｄ（１００９）、ＩＮＦＯ０１（１０１０）からなる。Ｐｒｏｔｅｃｔｉｏｎ  Ｚｏｎｅ１（１００５）はＢＣＡ（１００１）とＰＩＣ（１００６）を隔てるための領域である。Ｐｒｏｔｅｃｔｉｏｎ  Ｚｏｎｅ１（１００５）、ＰＩＣ（１００６）は事前にデータがあらかじめ記録されている領域であり、その他の領域は新しいデータが記録される領域である。Ｐｒｏｔｅｃｔｉｏｎ  Ｚｏｎｅ１（１００５）はより内周側とＰＩＣ（１００６）を隔てるための領域である。ＰＩＣ（１００６）には、永久的に保存されるべき、ディスク種類や記録特性に関する情報、ディスクのサイズに関する情報、準拠する規格のバージョンに関する情報、単層か２層かといった記録層数に関する情報等の基本物理特性情報や、ＢＣＡの有無に関する情報や、Ｌ０の推奨されるライトストラテジや記録速度に関する情報等のディスク情報が格納される領域であって、高周波変調（ＨＦＭ：Ｈｉｇｈ Ｆｒｅｑｕｅｎｃｙ Ｍｏｄｕｌａｔｅｄ）グルーブが形成される。Ｐｒｏｔｅｃｔｉｏｎ  Ｚｏｎｅ２（１００７）は、ＰＩＣ（１００６）とＩＮＦＯ０２（１００８）を隔てるための領域である。ＩＮＦＯ０２（１００８）には制御情報が記録される。ｒｅｓｅｖｅｄ（１００９）は予備の領域である。ＩＮＦＯ０１（１０１０）には制御情報が記録される。Ｏｕｔｅｒ  Ｚｏｎｅ０（１００４）は、ＩＮＦＯ３／４（１０１１）とＰｒｏｔｅｃｔｉｏｎ  Ｚｏｎｅ３（１０１２）からなる。ＩＮＦＯ３／４（１０１１）には制御情報が記録される。Ｐｒｏｔｅｃｔｉｏｎ  Ｚｏｎｅ３（１０１２）はＩＮＦＯ３／４（１０１１）を更に外周部分と隔てる。図１０（ａ）Ｌ０ディスク構造の内周から外周に向かっての矢印は、単層両面光ディスク及び２層両面光ディスクの記録層Ｌ０は内周から外周に向かって、連続する螺旋状のトラック上にデータが記録されることを示す。
【００２０】
図１０（ｂ）Ｌ１ディスク構造において、１０１４はＩｎｎｅｒ  Ｚｏｎｅ１であり、ディスクに関する属性の情報や制御情報等が記録される。Ｌｅａｄ-ｏｕｔとも称する。１０１５はＤａｔａ  Ｚｏｎｅ０であり、ＡＶデータなどのユーザデータが記録される。１０１６はＯｕｔｅｒ  Ｚｏｎｅ１であり制御情報などが記録される。Ｉｎｎｅｒ  Ｚｏｎｅ１（１０１４）は、Ｐｒｏｔｅｃｔｉｏｎ  Ｚｏｎｅ１（１０１７）、ＰＩＣ（１０１８）、Ｐｒｏｔｅｃｔｉｏｎ  Ｚｏｎｅ２（１０１９）、ＩＮＦＯ０２（１０２０）、ｒｅｓｅｖｅｄ（１０２１）、ＩＮＦＯ０１（１０２２）からなる。Ｐｒｏｔｅｃｔｉｏｎ  Ｚｏｎｅ１（１００５）、ＰＩＣ（１００６）は事前にデータがあらかじめ記録されている領域であり、その他の領域は新しいデータが記録される領域である。Ｐｒｏｔｅｃｔｉｏｎ  Ｚｏｎｅ１（１０１７）はより内周側とＰＩＣ（１０１８）を隔てるための領域である。ＰＩＣ（１０１８）には、永久的に保存されるべき、ディスク種類や記録特性に関する情報、ディスクのサイズに関する情報、準拠する規格のバージョンに関する情報、単層か２層かといった記録層数に関する情報等の基本物理特性情報や、ＢＣＡの有無に関する情報や、Ｌ１の推奨されるライトストラテジや記録速度に関する情報等のディスク情報が格納される領域であって、高周波変調（ＨＦＭ：Ｈｉｇｈ Ｆｒｅｑｕｅｎｃｙ Ｍｏｄｕｌａｔｅｄ）グルーブが形成される。Ｐｒｏｔｅｃｔｉｏｎ  Ｚｏｎｅ２（１０１９）は、ＰＩＣ（１０１８）とＩＮＦＯ０２（１０２０）を隔てるための領域である。ＩＮＦＯ０２（１０２０）には制御情報が記録される。ｒｅｓｅｖｅｄ（１０２１）は予備の領域である。ＩＮＦＯ０１（１０２２）には制御情報が記録される。Ｏｕｔｅｒ  Ｚｏｎｅ１（１０１６）は、ＩＮＦＯ３／４（１０２３）とＰｒｏｔｅｃｔｉｏｎ  Ｚｏｎｅ３（１０２４）からなる。ＩＮＦＯ３／４（１０２３）には制御情報が記録される。Ｐｒｏｔｅｃｔｉｏｎ  Ｚｏｎｅ３（１０２４）はＩＮＦＯ３／４（１０２３）を更に外周部分と隔てる。図１０（ｂ）Ｌ１ディスク構造の外周から内周に向かっての矢印は、２層両面光ディスクの記録層Ｌ１は外周から内周に向かって、連続する螺旋状のトラック上にデータが記録されることを示す。
【００２１】
また図２や図３の記録面を両面に持つ光ディスクは、記録面に手の油脂、汚れ等が付着、またすり傷や引っかき傷が付くことを防ぐ目的でディスクカートリッジを用いて使用される。図３４はディスクカートリッジの裏面を、図３５はディスクカートリッジの表面を示す。ここではディスクカートリッジは、両面対応であるため両面とも同じ形状をしている。ディスクカートリッジには、図３４、図３５に示すようにカートリッジ本体３４０６の上にディスク情報保持部３４０１、３５０１、タイミング情報保持部３４０３、３５０３、カートリッジ位置決め穴３４０２、シャッタ３４０５などが設けられている。本ディスクカートリッジは両面対応であるためディスクカートリッジの両面にそれぞれのディスク面に対応したディスク情報保持部３４０１、３５０１、タイミング情報保持部３４０３、３５０３が１組ずつ配置されている。ディスク情報保持部３４０１、３５０１はディスク片面につき７個配置してあり、カートリッジ表面の凹の有無で情報を設定してある。また、タイミング情報保持部３４０３、３５０３はディスク情報保持部３４０１、３５０１の数にあわせ７個配置してある。タイミング情報保持部３４０３、３５０３もカートリッジ表面の凹の有無で情報を設定している。
【００２２】
なおディスク内周に存在するＰＩＣ（１００６、１０１８）の基本物理特性情報に、ＢＣＡに基本物理特性情報として記録される片面か両面かのタイプ情報、Ａ面かＢ面かの面情報、ディスクカートリッジの有無を示す情報は必ずしも含まれる必要はない。ＰＩＣにこれらの情報が含まれない場合、片面ディスクと同じスタンパを両面ディスクのＡ面、Ｂ面にも使用でき、両面ディスクの生産コストを抑え、安価に供給することを可能にする。
【００２３】
[データのエンコード処理]
ユーザデータの記録処理について説明する。図１１に示すとおり、ユーザデータを２０４８バイト単位に分割し、それぞれに４バイトの誤り検出コードを付加して２０５２バイトのデータフレームを構成する。次に、各データフレームに対し図１２に示すとおりスクランブル処理を行い、スクランブルドデータフレームを構成する。次に図１２に示すとおり、スクランブルドデータフレームを３２個集める。次に列順に再配置を行い、図１３に示すとおり２１６行３０４列のデータブロックを構成する。そして、図１４に示すとおり、データブロックの各列に対して(２４８、２１６、３２)のリードソロモン符号で符号化を行い、３２バイトのパリティを付加し新たに２４８行３０４列のＬＤＣ（Long Distant Code）ブロックを構成する。ＬＤＣブロックに対しては次の第１のインターリーブと、第２のインターリーブが処理される。第１のインターリーブは図１５ａに示されるように、偶数番目の列のデータとそれに続く奇数番目の列のデータを互い違いに挟み込むように再配置を行い４９６行１５２列のブロックを構成する。第２のインターリーブは図１５ｂ示すとおり、再配置された４９６行１５２列のブロックに対し、上から２行単位で、最初の２行はシフトせず、次の２行は左に３バイトシフト、次の２行は６バイトシフト、次の２行は左に９バイトシフトと３バイトずつシフト量を増加させる再配置を行う。第１のインターリーブ、第２のインターリーブを施したデータはＬＤＣクラスタを構成する。
【００２４】
一方、このデータブロックに付加されるアドレスは以下のように生成される。
図１６に示されるようにデータブロックは１６のアドレスユニットに分割され、それぞれに９バイトのアドレス情報が割り当てられる。９バイトの内訳は、４バイトのアドレスと、１バイトのフラグ情報と、５バイトのアドレスとフラグ情報に付加されたパリティとからなる。このアドレスはインターリーブ処理を行ったうえで、６行２４列のマトリックスを形成する。同時にユーザー制御データ１８バイト、３２ユニット分が２４行２４列のマトリックスに配置される。
上記の６行２４列のマトリックスと２４行２４列のマトリックスは結合され、図１７に示す３０行２４列のアクセスブロックを形成する。アクセスブロックの各列に対して（６２、３３、３２）のリードソロモン符号で符号化を行い、３２バイトのパリティを付加して図１８に示す、６２行２４列のＢＩＳ（Burst Indicating Subcode）ブロックを形成する。ＢＩＳブロックのデータに対し再配置を行い図１９に示す４９６行３列のＢＩＳクラスタを構成する。
【００２５】
前記のＬＤＣクラスタを３８列ずつに分割し、間にＢＩＳクラスタのデータを一列ずつ挿入し図２０に示すＥＣＣクラスタを構成する。
【００２６】
ＥＣＣクラスタの各行１５５バイトのデータに対しては、先頭に２０ビットのフレーム同期信号が付加し、１５５バイトのデータは先頭２５ビット、以降は４５ビットずつに分割し、間にＤＣコントロールビットを挿入し、図２１に示す記録フレームを構成する。ＤＣコントロールビットは変調後のＤＳＶが０に近くなるように制御される。
【００２７】
記録フレームのデータに対する変調は図２２に示されるテーブルに従って１７変調を行う。フレーム同期信号は図２３に示されるように３０bitsの同期コードを用いて付加される。図２３において、＃は同期コードの前の変調後のデータが0000もしくは00で終端された場合は１となり、他の場合は０となる。
[ＢＣＡ]
図１０で示されたＢＣＡの配置を、光ディスク３１００の上から見た配置を図２４に示す。光ディスク３１００の半径２１．３ｍｍから２２．０ｍｍまでの範囲には、同心円状にバーストカッティングエリア（ＢＣＡ）２４０２が形成される。また、２４０３はセンターホールである。このＢＣＡには、ディスクＩＤ等のディスク固有の情報もしくは、ディスクの準拠するフォーマット情報等が格納されている。こうした情報は１周が略４７５０チャネルビットであるのに対し、４６４８チャネルビットを占める。
【００２８】
バーストカッティングエリア２４０２に記録されるデータの変調方法を図２５に示す。本変調方式では、２ビットのデータが７ビットデータとして変調される。変調後の７ビットデータは、前半３ビットが同期部、後半４ビットがデータ部として構成される。同期部は“０１０”のみで構成される。データ部は４ビットのうちのいずれかのビットに“１”が設定され、それ以外のビットは“０”と設定される。図２５において、元データが“００”であれば、データ部が“１０００”と変調される。同様に元データ“０１”、“１０”、“１１”はそれぞれデータ部“０１００”、“００１０”、“０００１”と変調される。
【００２９】
同期部とデータ部がバーストカッティングエリア２４０２に記録されている状態を模式的に図２６に示す。この場合、“０１０１０００”のデータを示している。ビット“１”の場合は、低反射率部が形成され、ＢＣＡマークと呼ばれる。ビット“０”の場合はこの低反射率部が形成されずに、ディスク反射率の変化がほぼゼロとなる。
【００３０】
バーストカッティングエリア２４０２に記録されるデータ構造を図２７に示す。図２７において、各行が５バイトで構成される。各行の先頭１バイトは同期バイトであり、後方４バイトがデータとされる。
【００３１】
第１行目はプリアンブルとされ、全て００ｈとされる。
【００３２】
第１の同期バイトは第１行目のみに用いるため、これを検出することにより、ＢＣＡコードの開始位置を検出することが可能である。もしくは、第１の同期バイト以降の００ｈデータと併せて検出することも可能である。第２行目から第３３行目までは、４行単位で領域が区分される。第２行目から第５行目までには、ユーザデータＩ０、０からＩ０、１５の１６バイトのデータが配置される。続いて、第６行目から第９行目までには、第２行目から第５行目までのユーザデータＩ０、０からＩ０、１５に対応する１６バイトのパリティＣ０、０からＣ０、１５が配置される。この第２行目から第５行目までのユーザデータと第６行目から第９行目までのパリティによって、１つのＥＣＣブロックが構成される。
【００３３】
同様に、第１０行目から第１３行目までにユーザデータＩ１、０からＩ１、１５が配置され、第１４行目から第１７行目に対応するパリティＣ１、０からＣ１、１５が配置される。第１８行目から第２１行目までにユーザデータＩ２、０からＩ２、１５が配置され、第２２行目から第２５行目に対応するパリティＣ２、０からＣ２、１５が配置される。第２６行目から第２９行目までにユーザデータＩ３、０からＩ３、１５が配置され、第３０行目から第３３行目に対応するパリティＣ３、０からＣ３、１５が配置される。
【００３４】
第２行目から第５行目の同期バイトはＳＢ００とされる。第６行目から第９行目までの同期バイトはＳＢ０１とされる。第１０行目から第１３行目までの同期バイトはＳＢ０２とされる。第１４行目から第１７行目までの同期バイトはＳＢ０３とされる。第１８行目から第２１行目までの同期バイトはＳＢ１０とされる。第２２行目から第２５行目までの同期バイトはＳＢ１１とされる。第２６行目から第２９行目までの同期バイトはＳＢ１２とされる。第３０行目から第３３行目までの同期バイトはＳＢ１３とされる。第３４行目にはデータは配置されず、同期バイトのＳＢ３２のみが配置される。図２７のデータは図２５の変調方式に従い、変調される前のデータを示している。そのデータ量は１６６バイトとなる。（＝５バイト×４行×８セット＋５バイト＋１バイト）この情報が変調された結果、４６４８チャネルビットとなる。（＝１６６×８×７／２）
図２７の同期信号の具体的なデータ列を図２８に示す。なお、図２８の例は変調後のチャネルビット列として表される。２８チャネルビットの同期バイトは１４チャネルビットのシンクボディと、１４チャネルビットのシンクＩＤとで構成される。１４チャネルビットのシンクボディは７チャネルビットのシンクボディ１と、７チャネルビットのシンクボディ２とで構成される。１４チャネルビットのシンクＩＤは、７チャネルビットのシンクＩＤ１と、７チャネルビットのシンクＩＤ２とで構成される。
【００３５】
なお、シンクボディは先に記した本来の変調則に従わないパターンとなっている。すなわち、図２５に記されるように本変調則に従えば、その同期部は“０１０”とされるはずである。しかし、シンクボディ２の同期部は“０１０”とは異なる“００１”とされている。従って、同期バイトをデータから識別することが可能である。
【００３６】
各同期バイトのシンクボディ１はいずれも“０１０  ０００１”とされ、シンクボディ２は“００１  ０１００”とされる。これに対し、シンクＩＤは、同期バイト毎に異なる値とされ、これにより同期バイトを識別することが可能となっている。このように、各同期バイトが異なるため、識別が可能となる。
【００３７】
ＢＣＡコードのＥＣＣブロックの構成を図２９に示す。ＥＣＣはＲＳ（２４８、２１６、３３）のリードソロモン符号が用いられる。これは、図１４のＥＣＣブロックと同様のリードソロモン符号である。ただし、ＢＣＡコードのＥＣＣブロックは図２９のように、先頭の２００バイトは固定データとされ、例えばＦＦｈが使用される。この固定データに続く１６バイトのデータが実質的なＢＣＡのユーザデータとされる。２００バイトの固定データと、１６バイトのＢＣＡデータとを用いて、３６バイトのパリティが計算する。
【００３８】
なお、本発明における２１６バイトのデータのうち、先頭２００バイトは固定データであり、光ディスクには記録されない。同様に、３２バイトのパリティのうち、先頭１６バイトのパリティＣ０からＣ１５のみが光ディスク１に記録され、残りの１６バイトのパリティは記録されない。復号時には、２００バイトの固定データは、同一の値がそのまま用いられる。また、記録されない１６バイトのパリティは消失フラグとして復号される。つまり、３２バイトのパリティのうち、後半の１６バイトは位置するパリティが、消失したものとして処理される。パリティの１／２が消失したとしても、その位置が既知であるため、元のパリティを復号することが可能である。
【００３９】
このように、ユーザデータエリアに記録されるユーザデータのＥＣＣと同じＲＳ（２４８、２１６、３３）を用いることで、ＢＣＡにおいても非常に強力なエラー訂正能力を実現可能となる。また、同一のハードウェアでの構成が可能となるので、回路規模を低減でき、コスト低減することができる。更に、３２バイトのみを記録すればよく、２４８バイト全てを記録する場合に比べ、データ容量を大きくすることができる。
【００４０】
ＢＣＡのデータブロックの構成を図３０に示す。本発明において、４個のＥＣＣブロックがバーストカッティングエリア２４０２に記録される。各ＥＣＣブロックの１６バイトのデータは、先頭の１バイトのコンテンツコードと、続く１５バイトのコンテンツデータで構成される。ＢＣＡのコンテンツコードは、先頭のビット７からビット２までの６ビットがアプリケーションＩＤとされ、最後のビット１、ビット０の２ビットがシーケンス番号とされる。
【００４１】
光ディスク記録再生装置は、取り決められたアプリケーションＩＤを有する光ディスクに対してのみ、データの記録する、もしくは再生することが可能とされる。例えば、特定のアプリケーションＩＤを有するディスクに対して、コンテンツデータを保護するために必要な、コンテンツの暗号化／復号化の鍵情報等を記録することができる。
【００４２】
シーケンス番号は２ビットで構成され、“００”、“０１”、“１０”、“１１”のいずれかとされる。各ＥＣＣブロックのコンテンツデータが１４バイト以下である場合にはそれぞれのシーケンス番号は“００”とされる。
【００４３】
次にコンテンツデータの格納方法を示す。例えば、４つのＥＣＣブロックのうち、先頭の２個のＥＣＣブロックの各コンテンツデータとして、同一のコンテンツデータを格納した場合（この場合は、同一アプリケーションＩＤの同一コンテンツデータの２重書きである）、それぞれのＥＣＣブロックのシーケンス番号は“００”とされる。すなわち、同一のコンテンツデータを記録する場合には、２つのＥＣＣブロックのシーケンス番号は同一番号とされる。
【００４４】
続いて、残りの２個のＥＣＣブロックに、最初のＥＣＣブロックのアプリケーションＩＤとは異なるコンテンツデータを２４バイト格納する場合、１番目のシーケンス番号は“００”とされ、２番目のＥＣＣブロックのシーケンス番号は“０１”とされる。すなわち、複数のＥＣＣブロックにまたがる場合には、通し番号が格納される。
【００４５】
このように、各ＥＣＣブロックに、アプリケーションＩＤとシーケンス番号が記録されるので、それらから判断して、いずれのＥＣＣブロックに所望のデータが格納されているのか、また多重書きであるかという識別が可能である。
【００４６】
なお、図３０のデータブロックのＢＣＡコンテンツコード、及びコンテンツデータが、図２７の先頭ＥＣＣブロックのＩ０、０からＩ０、１５に対応する。
【００４７】
またＢＣＡは４つのＥＣＣブロックに分割されるため、記録される各種データは使用目的別に分類され、同一のＥＣＣブロックに収まるようコンテンツデータが配置され、ディスク上に記録される。例えば、ディスク種類の識別を容易にし、セットアップの高速化に役立つコンテンツデータ、ディスク種類、記録特性、準拠する規格のバージョン番号、タイプ情報、面情報、記録層数の情報等は同一のＥＣＣブロックに格納されて記録されて、コピー管理に用いられるコンテンツデータ、製造者識別コードやユニーク番号は別のＥＣＣブロックに格納されて記録される。このようにコンテンツデータを用途別にＥＣＣブロックに分割して記録することで、余計なＥＣＣ演算や、不要なコンテンツデータのメモリ空間内の移動を防ぎ、記録再生装置の負荷を低減することが可能となる。
【００４８】
[ディスクの記録再生装置]
本発明に好適として形状、データのエンコード処理、ＢＣＡについて説明した光ディスクの記録再生を行う記録再生装置の説明を図３１を用いて行う。図３１は記録再生装置のブロック図である。図３１において、３１００は図２，３、８、９に示される記録型の光ディスクである。３１０１はディスク３１００を回転させるディスクモータ、３１０２はディスク３１００にレーザ光を照射し、反射光を検出し再生信号を得る光ピックアップである。また３１０２は記録時には的確に整形された波形のレーザ光をディスク３１００に照射して記録を行う。３１０３はアナログフロントエンドであり、光ピックアップ３１０２で検出された信号の波形整形やサーボ信号の生成などを行う。３１０４は復調処理回路であり、波形整形された信号の２値化や、データのエンコード処理で説明した１−７変調に基づいた復調処理などを行う。３１０５はＤＲＡＭ（Ｄｙｎａｍｉｃ  Ｒａｎｄｕｍ  Ａｃｃｅｓｓ  Ｍｅｍｏｒｙ）であり、復調処理されたデータ、訂正処理中、入出力データ、変調処理前のデータなどの一時記憶に用いられる。３１０６はＥＣＣ（Ｅｒｒｏｒ  Ｃｏｒｒｅｃｔｉｏｎ  Ｃｉｒｃｕｉｔ）であり、再生処理時にはＤＲＡＭ３１０５に一時記憶された復調処理済のデータに対し、誤り訂正処理をおこない、記録処理時には、ＤＲＡＭ３１０５に一時記憶された入力データに対し、誤り訂正符号の付加を行う。３１０７はインターフェース回路であり、ＤＲＡＭ１０５に一時記憶されたデータを出力端子３１１４から出力したり、入力端子３１１３からの入力データをＤＲＡＭ３１０５に記憶させたり、ＤＲＡＭ３１０５に記憶されたＢＣＡ関連情報の出力端子３１１５からの出力などインターフェース処理を行う。３１１３と３１１５共通化することもできる。また、双方向化することで３１１３、３１１４、３１１５を共通化することも可能である。３１０８は変調回路であり、記録時には、ＤＲＡＭ３１０５から読み出したデータに対して、データのエンコード処理で説明した１−７変調に基づいた変調処理を行い、変調データをＬＤＤ（Ｌａｓｅｒ  Ｄｉｏｄｅ  Ｄｒｉｖｅｒ）３１０９に供給する。ＬＤＤ３１０９は記録時には、変調データに対して、記録に適切な記録波形を光ピックアップ３１０２に供給し、光ピックアップ３１０２は記録波形に従って発光して記録を行う。３１１０はＢＣＡデコーダであり、ＢＣＡの再生時には、[ＢＣＡ]で説明されたように低反射率の有無によって記録された、ＢＣＡのデータブロックのデコード処理を行う。
【００４９】
記録再生装置は、電源投入時や光ディスク３１００挿入時に、上位制御装置からの記録命令や再生命令に備えるセットアップ処理を実行する。先ずディスク３１００にレーザ光を照射し、ディスク３１００からの戻り光を利用して、ディスクの反射率やカバー層と記録層の間の距離等を取得し、大まかにディスクの種別を特定する。次にディスクモータ３１０１を用いて、ディスク３１００を反時計回りに回転し、光ピックアップ３１０２を半径位置２１．３ｍｍから２２．０ｍｍのＢＣＡに移動した後、先の種別結果に基づいて、レーザパワーやフォーカスサーボに関するパラメータの初期設定を行い、フォーカスサーボを行いながらＢＣＡのデータを再生する。再生したＢＣＡデータに含まれるディスク種類、ＲＯＭ，Ｒｅｃｏｒｄａｂｌｅ，Ｒｅｗｒｉｔａｂｌｅといった記録特性、記録再生又は再生互換の有無、片面か両面かのタイプ情報、Ａ面かＢ面かの面情報、記録層数、データエリアの記録再生方向、ディスクカートリッジの有無から、ディスクの種別、互換性や再生又は記録の可否を確定し、Ｉｎｎｅｒ  Ｚｏｎｅ１００２、１０１４やＯｕｔｅｒ  Ｚｏｎｅ１００４、１０１６に記録された各種ディスク管理情報を読み出し、上位制御装置からの記録命令や再生命令に備える。またディスクカートリッジ情報はＢＣＡから読み出されたデータはカートリッジ有であるにも関わらず、記録再生装置が検出した光ディスクにはカートリッジが無かった場合には、記録面に手の油脂、汚れ等が付着、またすり傷や引っかき傷が付いている可能性があり、記録品質が十分に保障できないとして、再生互換のみのディスクとして動作するために用いることができる。
【００５０】
ディスクのＤａｔａ  Ｚｏｎｅ１００３、１０１５に記録されるファイルデータのファイル管理情報を上位装置内のＨＤＤで管理するシステムにおいては、上位制御装置は、記録再生装置から読み出したディスクのＩＤ（製造者識別コード）、識別番号（固体識別番号）や面情報を用いて、ディスクとファイル管理情報の整合性を図る。また記録再生装置が光ディスクの排出、再挿入を伴わず両面からファイルデータの読み出しができる場合には、タイプ情報、面情報、両面の層情報から片面、両面ディスクを問わず、１枚のディスクを１つの論理ヴォリュームとしたファイル管理情報を生成し、管理することが容易にできる。
【００５１】
次に第１の実施例を基に本願の第２の実施例である光ディスクとその記録再生装置について、図３２、図３３と図３６を用いて説明する。
【００５２】
実施例２は、Ａ面はＢｌｕ−ｒａｙ  Ｄｉｓｃ（商標）と同じ記録層の構造を持つがＢ面はリードイン、データゾーン、リードアウトのデータの記録再生方向がＡ面とは逆の時計周りであるが、ＢＣＡ再生方向はＡ面と同じ反時計回りである場合の実施例である。
【００５３】
図３２は両面に記録読み出しのための光ピックアップ３１０２、３１０２Ｂを配し、ディスクの排出と再挿入なしで両面ディスクの両面からデータの記録再生を行う記録再生装置である。スピンドル、フォーカス及びトラッキングなどのサーボ回路３１１１は２つの光ピックアップ３１０２、３１０２Ｂを切り替えて制御し、アナログフロントエンド３１０３は２つの光ピックアップからの入力信号を入り口で切り替え、ディスクモータ３１０１はディスク３１００を反時計回り及び時計回りのいずれにも回転させることができるが、それ以外は図３１の記録再生装置と同じである。
【００５４】
図３３は両面に記録読み出しのための光ピックアップ３１０２、３１０２Ｂを配し、ディスクの排出と再挿入なしで両面ディスクの両面からデータの記録再生を同時に行う記録再生装置である。ディスクモータ３１０１、ＢＣＡデコーダ３１１０、ＣＰＵ３１１２とＤＲＡＭ３１０５、ＥＣＣ３１０６、ＩＦ３１０７以外は２重かされ、ディスク３１００の両面に独立で、記録再生が行える構成となっている。ＣＰＵはＡ面、Ｂ面への記録再生制御を同時に制御し、ディスクモータ３１０１はディスク３１００を反時計回り及び時計回りのいずれにも回転させることができるが、それ以外は図３１の記録再生装置と同じである。本記録再生装置においてはディスク３１００からのＢＣＡデータは片面側から読み出される。
【００５５】
図３６は図３２及び図３３の記録再生装置での、光ディスク３１００挿入時の上位制御装置からの記録命令や再生命令に備えるセットアップ処理を示す。ここでは本両面ディスクはＢ面のスパイラル方向が逆であることを除き、Ｂｌｕ−ｒａｙ  Ｄｉｓｃ（商標）の両面張り合わせと仮定する。先ずディスク３１００に光ピックアップ３１０２のレーザ光を照射（光ピックアップ３１０２Ｂのレーザ光は照射せず）し、ディスク３１００からの戻り光を利用して、下側に位置する記録面の反射率やカバー層と記録層の間の距離等を取得し、大まかにディスクの種別を特定する。本ディスク３１００がＢｌｕ−ｒａｙ  Ｄｉｓｃ（商標）である場合にはディスクモータ３１０１を用いて、ディスク３１００を反時計回りに回転し、光ピックアップ３１０２を半径位置２１．３ｍｍから２２．０ｍｍのＢＣＡに移動した後、Ｂｌｕ−ｒａｙ  Ｄｉｓｃ（商標）用のレーザパワーやフォーカスサーボに関するパラメータの初期設定を行い、フォーカスサーボを行いながらＢＣＡのデータを再生する。再生したＢＣＡデータに含まれるディスク種類、ＲＯＭ，Ｒｅｃｏｒｄａｂｌｅ，Ｒｅｗｒｉｔａｂｌｅといった記録特性、記録再生又は再生互換の有無、片面か両面かのタイプ情報、Ａ面かＢ面かの面情報、記録層数、データエリアの記録再生方向、ディスクカートリッジの有無から、ディスクの種別、互換性や再生又は記録の可否を確定し、面情報から下側に位置する記録面がＢ面である場合には、ディスク３１００の回転を反時計回りから時計回りに反転し、Ｉｎｎｅｒ  Ｚｏｎｅ１００２、１０１４やＯｕｔｅｒ  Ｚｏｎｅ１００４、１０１６に記録された各種ディスク管理情報を読み出し、上位制御装置からの記録命令や再生命令に備える。
【００５６】
実施例２の両面光ディスクの他にも実施例１の両面光ディスクが存在する場合には、図３２の記録再生装置において、ディスクモータ３１０１によるディスク回転方向の制御はＢｙｔｅ３のＢＣＡを除くエリア、リードインやデータゾーンやリードアウトのデータの記録再生方向の情報を用いて行われる。具体的にはＢＣＡのデータを再生し、ＢＣＡデータに含まれるディスク種類、ＲＯＭ，Ｒｅｃｏｒｄａｂｌｅ，Ｒｅｗｒｉｔａｂｌｅといった記録特性、記録再生又は再生互換の有無、片面か両面かのタイプ情報、Ａ面かＢ面かの面情報、記録層数、データエリアの記録再生方向、ディスクカートリッジの有無から、ディスクの種別、互換性や再生又は記録の可否を確定し、データエリアの記録再生方向が時計周りである場合には、ディスク３１００の回転を反時計回りから時計回りに反転し、Ｉｎｎｅｒ  Ｚｏｎｅ１００２、１０１４やＯｕｔｅｒ  Ｚｏｎｅ１００４、１０１６に記録された各種ディスク管理情報を読み出し、上位制御装置からの記録命令や再生命令に備える。
【００５７】
次に第１と第２の実施例を基に本願の第３の実施例である光ディスクとその記録再生装置について説明する。
【００５８】
実施例３は、Ａ面はＢｌｕ−ｒａｙ  Ｄｉｓｃ（商標）と同じ記録層の構造を持つがＢ面はリードイン、データゾーン、リードアウトのデータの記録再生方向がＡ面とは逆の時計周りであり、ＢＣＡ再生方向もＡ面とは逆の時計回りである場合の実施例である。
【００５９】
本光ディスクを図３２又は図３３の記録再生装置で再生する場合、セットアップ処理時におけるＢＣＡデータ再生でＢＣＡの再生方向の検出が必要となる。本実施例においては、スピンドルモータ３１０１を記録再生装置のデフォルト回転方向、ここでは反時計回り、に回転し、光ピックアップ３１０２のレーザ光を照射してＢＣＡを再生する。結果、ＢＣＡが検出できない、又は正しくＢＣＡが復号できない場合、例えば図２５の大多数ビットデータでの変調パターン未検出エラー、図２８のＳＹＮＣコード検出エラー多発や図２９に基づくＢＣＡデータのＬＤＣ符号訂正エラー、ＢＣＡの再生方向は逆と判断し、光ピックアップ３１０２Ｂのレーザ光を照射してスピンドルモータ３１０１の回転を時計周りに反転し、再度ＢＣＡデータの再生を行い、ＢＣＡのデータを再生する。再生したＢＣＡデータに含まれるディスク種類、ＲＯＭ，Ｒｅｃｏｒｄａｂｌｅ，Ｒｅｗｒｉｔａｂｌｅといった記録特性、記録再生又は再生互換の有無、片面か両面かのタイプ情報、Ａ面かＢ面かの面情報、記録層数、データエリアの記録再生方向、ディスクカートリッジの有無から、ディスクの種別、互換性や再生又は記録の可否を確定し、Ｉｎｎｅｒ  Ｚｏｎｅ１００２、１０１４やＯｕｔｅｒ  Ｚｏｎｅ１００４、１０１６に記録された各種ディスク管理情報を読み出し、上位制御装置からの記録命令や再生命令に備える。
【００６０】
次に第１から第３の実施例を基に本願の第４の実施例である光ディスクとその記録再生装置について、図６と図７を用いて説明する。
【００６１】
実施例４は、実施例３同様にＡ面はＢｌｕ−ｒａｙ  Ｄｉｓｃ（商標）と同じ記録層の構造を持つがＢ面はリードイン、データゾーン、リードアウトのデータの記録再生方向がＡ面とは逆の時計周りであり、ＢＣＡ再生方向もＡ面とは逆の時計回りである場合の実施例である。
【００６２】
図６、図７は本実施例におけるＢＣＡのマーク形状を示す。６０２はＢＣＡ再生方向を示すマーカーであり、６０１は本記録面の再生は反時計回りで行われることを示し、７０１は本記録面の再生は時計回りで行われることを示す。本マーカーは複数のＢＣＡマークで形成され、各マークは図２６で示した通常のＢＣＡマークに比べ、倍の幅を持ち、他のＢＣＡデータ列の先頭に配置される。本光ディスクを図３２又は図３３の記録再生装置で再生する場合、本マーカーはセットアップ処理時におけるＢＣＡデータの再生でＢＣＡの再生方向の検出に使用される。本実施例においては、スピンドルモータ３１０１を記録再生装置のデフォルト回転方向、ここでは反時計回り、に回転し、光ピックアップ３１０２のレーザ光を照射してＢＣＡを再生する。ＢＣＡ再生方向を示すマーカーが他のＢＣＡデータ列の先頭で検出できない場合、ＢＣＡの再生方向は逆と判断し、光ピックアップ３１０２Ｂのレーザ光を照射してスピンドルモータ３１０１の回転を時計周りに反転し、再度ＢＣＡデータの再生を行い、ＢＣＡのデータを再生する。再生したＢＣＡデータに含まれるディスク種類、ＲＯＭ，Ｒｅｃｏｒｄａｂｌｅ，Ｒｅｗｒｉｔａｂｌｅといった記録特性、記録再生又は再生互換の有無、片面か両面かのタイプ情報、Ａ面かＢ面かの面情報、記録層数、データエリアの記録再生方向、ディスクカートリッジの有無から、ディスクの種別、互換性や再生又は記録の可否を確定し、Ｉｎｎｅｒ  Ｚｏｎｅ１００２、１０１４やＯｕｔｅｒ  Ｚｏｎｅ１００４、１０１６に記録された各種ディスク管理情報を読み出し、上位制御装置からの記録命令や再生命令に備える。
【符号の説明】
【００６３】
３１００…光ディスク、３１０１…ディスクモータ、３１０２…光ピックアップ、３１０３…アナログフロントエンド、３１０４…復調処理回路、３１０５…ＤＲＡＭ、３１０６…ＥＣＣ、３１０７…インターフェース回路、３１０８…変調回路、３１０９…ＬＤＤ、３１１０…ＢＣＡデコーダ、３１１１…サーボ回路、３１１２…ＣＰＵ
【図１】
2012168979.tif 000003
【図２】
2012168979.tif 000004
【図３】
2012168979.tif 000005
【図４】
2012168979.tif 000006
【図５】
2012168979.tif 000007
【図６】
2012168979.tif 000008
【図７】
2012168979.tif 000009
【図８】
2012168979.tif 000010
【図９】
2012168979.tif 000011
【図１０】
2012168979.tif 000012
【図１１】
2012168979.tif 000013
【図１２】
2012168979.tif 000014
【図１３】
2012168979.tif 000015
【図１４】
2012168979.tif 000016
【図１５ａ】
2012168979.tif 000017
【図１５ｂ】
2012168979.tif 000018
【図１６】
2012168979.tif 000019
【図１７】
2012168979.tif 000020
【図１８】
2012168979.tif 000021
【図１９】
2012168979.tif 000022
【図２０】
2012168979.tif 000023
【図２１】
2012168979.tif 000024
【図２２】
2012168979.tif 000025
【図２３】
2012168979.tif 000026
【図２４】
2012168979.tif 000027
【図２５】
2012168979.tif 000028
【図２６】
2012168979.tif 000029
【図２７】
2012168979.tif 000030
【図２８】
2012168979.tif 000031
【図２９】
2012168979.tif 000032
【図３０】
2012168979.tif 000033
【図３１】
2012168979.tif 000034
【図３２】
2012168979.tif 000035
【図３３】
2012168979.tif 000036
【図３４】
2012168979.tif 000037
【図３５】
2012168979.tif 000038
【図３６】
2012168979.tif 000039
【図３７】
2012168979.tif 000040
【図３８】
2012168979.tif 000041
【国際調査報告】
2012168979.tif 000042
2012168979.tif 000043
2012168979.tif 000044
2012168979.tif 000045
2012168979.tif 000046
2012168979.tif 000047